(57)【要約】【課題】ユーザが所望するように補正された画像を得ることのできる電子カメラを提供する。【解決手段】見本画像の選択操作により補正、編集済の画像データファイル（Ｃ２）のいずれかを選択し、当該補正、編集済の画像データファイル（Ｃ２）のヘッダ情報として記録されていた撮影条件データ（Ｃ４）、補正条件データ（Ｃ５）、編集条件データ（Ｃ６）を得る。撮影操作があったならば、撮影条件データ（Ｃ４）に基づく撮影条件で撮影処理（Ｃ１０）するとともに、信号処理（Ｃ１１）して撮影画像（Ｃ１２）を得る。この撮影画像を補正条件データ（Ｃ５）に従って画像補正処理（Ｃ１３）するとともに、編集条件データ（Ｃ６）に従って画像編集処理する（Ｃ１４）。【選択図】図７
2011160482.tif 000002
【特許請求の範囲】
【請求項１】
被写体を撮像して対象画像を生成する撮像手段と、
複数の編集された画像とこの編集画像の編集に用いた編集条件データとを対応付けて記憶した記憶手段と、
操作に応じて、この記憶手段に記憶された編集画像のいずれかを選択する選択手段と、
この選択手段により選択された編集画像に対応する編集条件データに基づき、前記撮像手段により生成された対象画像を編集処理する編集処理手段と
を備えることを特徴とする電子カメラ。
【請求項２】
前記記憶手段は、前記撮像手段により生成された画像を記憶する手段を含み、
前記記憶手段に記憶されている複数の画像の中から所望の画像を選択する選択手段と、 この選択手段により選択された画像に対して所望の編集処理を実行する編集手段とを備え、
前記記憶手段は、さらに前記編集手段により編集された編集画像とこの編集画像の編集に用いた編集条件データとを対応付けて記憶することを特徴とする請求項１記載の電子カメラ。
【請求項３】
被写体を撮像して対象画像を生成する撮像手段と、
複数の補正された画像を記憶した記憶手段と、
操作に応じて、この記憶手段に記憶された補正画像のいずれかを選択する選択手段と、
この選択手段により選択された補正画像と前記撮像手段により生成された対象画像とを比較する比較手段と、
この比較手段による比較結果に基づき、前記対象画像に施すべき補正条件データを算出する算出手段と、
この算出手段により算出された補正条件データに基づき、前記撮像手段により生成された対象画像を補正処理する補正処理手段と
を備えることを特徴とする電子カメラ。
【請求項４】
被写体を撮像して対象画像を生成する撮像手段と、
複数の補正された補正後画像とこの補正後画像の補正前の画像である補正前画像とを対応付けて記憶した記憶手段と、
操作に応じて、この記憶手段に記憶されたいずれか一対の補正後画像と補正前画像とを選択する選択手段と、
この選択手段により選択された補正後画像と補正前画像とを比較する比較手段と、
この比較手段による比較結果に基づき、前記補正後画像に施された補正条件データを算出する算出手段と、
この算出手段により算出された補正条件データに基づき、前記撮像手段により生成された対象画像を補正処理する補正処理手段と
を備えることを特徴とする電子カメラ。
【請求項５】
前記記憶手段に記憶された複数の画像を表示する表示手段を更に備え、
前記選択手段は、前記表示手段に表示された複数の画像から、操作に応じたいずれかの画像を選択することを特徴とする請求項１から４にいずれか記載の電子カメラ。
【請求項６】
操作に応じて、前記選択手段により選択された画像に対応する複数の編集又は補正条件データの中から前記対象画像に施す編集又は補正条件を選択する条件選択手段を更に備え、
前記編集又は補正処理手段は、前記条件選択手段により選択された編集又は補正条件データに基づき、前記撮像手段により生成された対象画像を編集又は補正処理することを特徴とする請求項１から６にいずれか記載の電子カメラ。
【請求項７】
操作に応じて、前記対象画像に施す編集又は補正条件を設定する条件設定手段を更に備え、
前記編集又は補正処理手段は、前記条件設定手段により設定された編集又は補正条件データと、前記選択手段により選択された画像に対応する編集又は補正条件データとに基づき、前記撮像手段により生成された対象画像を編集又は補正処理することを特徴とする請求項１から６にいずれか記載の電子カメラ。
【請求項８】
前記編集処理手段により編集処理された編集画像とこの編集画像の編集に用いた編集条件データとを対応付けて前記記憶手段に記憶させる記憶制御手段を更に備えることを特徴とする請求項１又は２記載の電子カメラ。
【請求項９】
前記補正処理手段により補正処理された補正画像を前記記憶手段に記憶させる記憶制御手段を更に備えることを特徴とする請求項３記載の電子カメラ。
【請求項１０】
前記補正処理手段により補正処理された補正後画像とこの補正後画像の補正前の画像である補正前画像とを対応付けて前記記憶手段に記憶させる記憶制御手段を更に備えることを特徴とする請求項４記載の電子カメラ。
【請求項１１】
撮影条件を設定する撮影条件設定手段を更に備え、
前記撮像手段は、前記撮影条件設定手段により設定された撮影条件に従って、前記被写体を撮像し前記対象画像を生成することを特徴とする請求項１から１０にいずれか記載の電子カメラ。
【請求項１２】
前記記憶手段は、前記記憶された画像の撮影時における撮影条件データを前記画像に対応付けて記憶し、
前記撮像手段は、前記選択手段により選択された画像に対応する撮影条件データに従って、前記被写体を撮像し前記対象画像を生成することを特徴とする請求項１から１１にいずれか記載の電子カメラ。
【請求項１３】
前記編集処理又は補正処理は、画像補正処理と画像編集処理とを含むことを特徴とする請求項１から１２にいずれか記載の電子カメラ。
【請求項１４】
前記画像補正処理は、ノイズ除去処理、レベル変換処理、色相または彩度の補正処理、フィルタ演算処理、階調補正処理、輪郭強調処理の少なくともいずれか一つを含む処理であることを特徴と請求項１３記載の電子カメラ。
【請求項１５】
前記画像編集処理は、画像の回転処理、拡大又は縮小処理、画像特徴の抽出処理、画像領域の抽出処理、画像認識処理、トリミング処理、画像合成処理、リサイズ処理、レイアウト編集処理の少なくともいずれか一つを含む処理であることを特徴と請求項１３記載の電子カメラ。
【発明の詳細な説明】
【技術分野】
【０００１】
本発明は、撮像した画像に対する補正機能を備えた電子カメラに関する。
【背景技術】
【０００２】
従来、撮像した画像を補正する機能を備えた電子カメラが提案されている。この電子カメラには、ガンマ補正、アバーチャ補正、ホワイトバランス補正等のそれぞれについて複数の補正データが記憶されている。そして、撮影時には映像信号に基づき撮像した画像の画質を検出し、この画質検出結果に基づいて、前記記憶した複数の補正データの中から最適な補正データを読み出し、この読み出した適切な補正データに基づいて、撮影した画像に対し同時に複数の補正を行う（例えば、特許文献１参照。）。
【先行技術文献】
【特許文献】
【０００３】
【特許文献１】特開平０３−２７８６８３号公報
【発明の概要】
【発明が解決しようとする課題】
【０００４】
しかしながら、従来の画像補正機能を備えた電子カメラにあっては、前述のように撮影した画像の画質に応じた適切な補正データに基づいて、撮影画像の補正を行う。したがって、撮影画像が適切に補正されるにしても、画像補正にユーザの意思が反映されることはなく、よってユーザが所望するように補正された画像が得られるものではなかった。
【０００５】
本発明は、かかる従来の課題に鑑みてなされたものであり、ユーザが所望するように補正された画像を得ることのできる電子カメラを提供することを目的とする。
【課題を解決するための手段】
【０００６】
前記課題を解決するため請求項１記載の電子カメラにあっては、被写体を撮像して対象画像を生成する撮像手段と、複数の編集された画像とこの編集画像の編集に用いた編集条件データとを対応付けて記憶した記憶手段と、操作に応じて、この記憶手段に記憶された編集画像のいずれかを選択する選択手段と、この選択手段により選択された編集画像に対応する編集条件データに基づき、前記撮像手段により生成された対象画像を編集処理する編集処理手段とを備える。
【０００７】
また、請求項２記載の電子カメラにあっては、前記記憶手段は、前記撮像手段により生成された画像を記憶する手段を含み、前記記憶手段に記憶されている複数の画像の中から所望の画像を選択する選択手段と、この選択手段により選択された画像に対して所望の編集処理を実行する編集手段とを備え、前記記憶手段は、さらに前記編集手段により編集された編集画像とこの編集画像の編集に用いた編集条件データとを対応付けて記憶する。
【０００８】
また、請求項３記載の電子カメラにあっては、被写体を撮像して対象画像を生成する撮像手段と、複数の補正された画像を記憶した記憶手段と、操作に応じて、この記憶手段に記憶された補正画像のいずれかを選択する選択手段と、この選択手段により選択された補正画像と前記撮像手段により生成された対象画像とを比較する比較手段と、この比較手段による比較結果に基づき、前記対象画像に施すべき補正条件データを算出する算出手段と、この算出手段により算出された補正条件データに基づき、前記撮像手段により生成された対象画像を補正処理する補正処理手段とを備える。
【０００９】
また、請求項４記載の電子カメラにあっては、被写体を撮像して対象画像を生成する撮像手段と、複数の補正された補正後画像とこの補正後画像の補正前の画像である補正前画像とを対応付けて記憶した記憶手段と、操作に応じて、この記憶手段に記憶されたいずれか一対の補正後画像と補正前画像とを選択する選択手段と、この選択手段により選択された補正後画像と補正前画像とを比較する比較手段と、この比較手段による比較結果に基づき、前記補正後画像に施された補正条件データを算出する算出手段と、この算出手段により算出された補正条件データに基づき、前記撮像手段により生成された対象画像を補正処理する補正処理手段とを備える。
【００１０】
また、請求項５記載の電子カメラにあっては、前記記憶手段に記憶された複数の画像を表示する表示手段を更に備え、前記選択手段は、前記表示手段に表示された複数の画像から、操作に応じたいずれかの画像を選択する。
【００１１】
また、請求項６記載の電子カメラにあっては、操作に応じて、前記選択手段により選択された画像に対応する複数の編集又は補正条件データの中から前記対象画像に施す編集又は補正条件を選択する条件選択手段を更に備え、前記編集又は補正処理手段は、前記条件選択手段により選択された編集又は補正条件データに基づき、前記撮像手段により生成された対象画像を編集又は補正処理する。
【００１２】
また、請求項７記載の電子カメラにあっては、操作に応じて、前記対象画像に施す編集又は補正条件を設定する条件設定手段を更に備え、前記編集又は補正処理手段は、前記条件設定手段により設定された編集又は補正条件データと、前記選択手段により選択された画像に対応する編集又は補正条件データとに基づき、前記撮像手段により生成された対象画像を編集又は補正処理する。
【００１３】
また、請求項８記載の電子カメラにあっては、前記編集処理手段により編集処理された編集画像とこの編集画像の編集に用いた編集条件データとを対応付けて前記記憶手段に記憶させる記憶制御手段を更に備える。
【００１４】
また、請求項９記載の電子カメラにあっては、前記補正処理手段により補正処理された補正画像を前記記憶手段に記憶させる記憶制御手段を更に備える。
【００１５】
また、請求項１０記載の電子カメラにあっては、前記補正処理手段により補正処理された補正後画像とこの補正後画像の補正前の画像である補正前画像とを対応付けて前記記憶手段に記憶させる記憶制御手段を更に備える。
【００１６】
また、請求項１１記載の電子カメラにあっては、撮影条件を設定する撮影条件設定手段を更に備え、前記撮像手段は、前記撮影条件設定手段により設定された撮影条件に従って、前記被写体を撮像し前記対象画像を生成する。
【００１７】
また、請求項１２記載の電子カメラにあっては、前記記憶手段は、前記記憶された画像の撮影時における撮影条件データを前記画像に対応付けて記憶し、前記撮像手段は、前記選択手段により選択された画像に対応する撮影条件データに従って、前記被写体を撮像し前記対象画像を生成する。
【００１８】
また、請求項１３記載の電子カメラにあっては、前記編集処理又は補正処理は、画像補正処理と画像編集処理とを含む。
【００１９】
また、請求項１４記載の電子カメラにあっては、前記画像補正処理は、ノイズ除去処理、レベル変換処理、色相または彩度の補正処理、フィルタ演算処理、階調補正処理、輪郭強調処理の少なくともいずれか一つを含む処理である。
【００２０】
また、請求項１５記載の電子カメラにあっては、前記画像編集処理は、画像の回転処理、拡大又は縮小処理、画像特徴の抽出処理、画像領域の抽出処理、画像認識処理、トリミング処理、画像合成処理、リサイズ処理、レイアウト編集処理の少なくともいずれか一つを含む処理である。
【発明の効果】
【００２１】
請求項１に係る発明によれば、ユーザの操作により任意に選択された編集後の画像に対応する編集条件データに基づき、撮像した画像を編集することができる。よって、画像編集にユーザの意思を反映させることができ、簡単な操作により、ユーザが所望するように編集された画像を得ることができる。
【００２２】
また、請求項３に係る発明によれば、ユーザの操作により任意に選択された補正後の画像に対応する補正条件データに基づき、撮像した画像を補正することができる。よって、画像補正にユーザの意思を反映させることができ、簡単な操作により、ユーザが所望するように補正された画像を得ることができる。
【００２３】
また、請求項４に係る発明によれば、ユーザの操作により任意に選択された一対の補正後画像と補正前画像との比較結果により得られる補正条件データに基づき、撮像した画像を補正することができる。よって、画像補正にユーザの意思を反映させることができ、簡単な操作により、ユーザが所望するように補正された画像を得ることができる。
【図面の簡単な説明】
【００２４】
【図１】各実施の形態に共通する電子カメラの概略的回路構成を示すブロック図である。
【図２】本発明の第１の実施の形態における処理動作の一部を示すフローチャートである。
【図３】図２に続くフローチャートである。
【図４】図２に続くフローチャートである。
【図５】通常の撮影時の処理を示す説明図である。
【図６】撮影後のユーザ操作による補正及び編集時の処理を示す説明図である。
【図７】補正、編集の見本画像を選択してから、撮影して自動補正、編集するときの処理を示す説明図である。
【図８】画像補正処理の詳細を示すサブルーチンである。
【図９】図８のフロー中に示した各画像補正処理の概略と補正条件データの例を示す図である。
【図１０】図９に続く図である。
【図１１】画像編集処理の詳細を示すサブルーチンである。
【図１２】図８のフロー中に示した各画像編集処理の概略と編集条件データの例を示す図である。
【図１３】図１２に続く図である。
【図１４】撮影プログラム、あるいは、記録画像における、その撮影条件、補正条件、編集条件データの例を示す図である。
【図１５】撮影条件、補正条件、編集条件データをヘッダ情報部などに記録する際の構成を、ＥＸＩＦ ＪＰＥＧ画像データファイルに準拠したヘッダ情報の例で示す図である。
【図１６】本発明の第２の実施の形態における処理動作の一部を示すフローチャートである。
【図１７】図１６に続くフローチャートである。
【図１８】図１６のフローにより実行される撮影処理、画像補正処理の手順を示す説明図である。
【図１９】図１６のフローにより実行される画像補正処理の例（輝度レベル変換）の手順を示す説明図である。
【図２０】図１７のフローにより実行される撮影処理、画像補正処理の手順を示す説明図である。
【図２１】図１７のフローにより実行される画像補正処理の例の手順を示す説明図である。
【発明を実施するための形態】
【００２５】
以下、本発明の一実施の形態を図に従って説明する。
（第１の実施の形態）
図１は、各実施の形態に共通する電子カメラ１の概略的回路構成を示すブロック図である。この電子カメラ１は、主制御部２と撮影制御部３とを備えている。主制御部２は、ＣＰＵ、ＣＰＵが各部を制御するためのプログラムを格納したプログラムＲＯＭとその周辺回路、及びＣＰＵの作業用メモリであるＲＡＭ等から構成されるマイクロコンピュータであり、ユーザにより操作されるキー等を有する操作部６とＬＣＤ及びその駆動回路等で構成される表示モニタ７が接続されている。主制御部２は、表示モニタ７を制御するとともに操作部６からの操作情報を取り込むＧＩＵ制御手段４として機能し、このＧＩＵ制御手段４からの操作情報に基づき、画像補正条件／画像編集条件設定データ８を送出する補正／撮影条件設定手段５等として機能する。
【００２６】
なお、この補正／撮影条件設定手段５には、後述する図２のフローチャートにおけるステップＳ１０６〜１０９で用いるカスタム登録メモリと、ステップＳ１１０〜１１３で用いるシーン別撮影プログラムメモリとが含まれる。カスタム登録メモリは、各見本画像と関連付けて当該見本画像の撮影条件、補正条件、編集条件のデータが記憶されており、シーン別撮影プログラムメモリには、撮影シーン毎に見本画像と撮影条件を含む撮影プログラムが記憶されている。
【００２７】
前記撮影制御部３は、ＧＩＵ制御手段４からの操作情報に基づき撮影モードを設定する撮影モード設定手段１１を具備するとともに、この撮影モード設定手段１１を介して入力される操作情報と、センサ９からの検出信号とに基づき、測光、測距、合焦検出を行う測光／測距／合焦検出手段１０として機能する。また、撮影制御部３は、撮影モード設定手段１１からの出力と測光／測距／合焦検出手段１０からの出力に基づき、撮影条件設定データ１２を生成するものであって、この撮影条件設定データ１２としては、図示のように、ストロボ設定データ、ズーム／ＡＦデータ、露出条件データ、撮影感度データ、ＷＢ設定データ、色彩補正データ、コントランスデータ、シャープネスデータ等が含まれる。
【００２８】
一方、撮影光学系１３の光軸上には、絞り１４、シャッタ１５及びＣＣＤからなる撮像素子１６が配置されている。撮影光学系１３は光学系制御部１７により制御され、絞り１４とシャッタ１５とは、絞り／シャッタ駆動部１８により、撮像素子１６はＣＣＤ駆動回路１９により、それぞれ駆動される。映像信号処理回路２０は、撮影時の画像補正手段として機能するものであって、撮像素子１６からのアナログ信号を処理するとともにデジタル信号に変換する処理等を行う回路であり、ＣＤＳ２１、Ａｍｐ２２、ＡＤ変換部２３、ＷＢ補正部２４、カラー補間／カラー補正部２５、ガンマ補正部２６、輪郭強調部２７、及びマトリクス２８を有している。この映像信号処理回路２０からのデジタル画像データは、バッファメモリ２９に一時的に格納される。このバッファメモリ２９から出力されるデジタル画像データは、バッファメモリ３２に与えられるとともに、前記表示モニタ７に与えられてスルー画像として表示される。
【００２９】
また、画像補正ブロック３０及び画像編集ブロック３１は、バッファメモリ２９からのデジタル画像データであって撮影後のデジタル画像データを補正、編集処理する撮影後の補正／編集手段として機能するものであって、この補正編集処理された撮影後のデジタル画像データは、前記バッファメモリ３１に一時的に格納される。画像ＣＯＤＥＣ３３は、圧縮／符号化部３４と伸張／復号化部３５とを有する。圧縮／符号化部３４は、バッファメモリ３２から出力されたデジタル画像データ及び前記画像補正条件／画像編集条件設定データ８を圧縮するとともに符号化し、この圧縮及び符号化されたデータは、画像記録／入出力部３６を介してメモリ媒体３７に各々ファイル名が付された画像データファイルとして記録される。したがって、この画像データファイルには、画像データとともに、当該画像の撮影条件、補正条件、編集条件が記録される。伸張／復号化部３５は、メモリ媒体３７から画像記録／入出力部３６を介して読み出された画像データファイルに記録されている画像データ、当該画像の撮影条件、補正条件、編集条件データを伸張するとともに復号化し、この伸張及び復号化されたデータは、バッファメモリ２９に出力されるとともに、画像補正ブロック３０及び画像編集ブロック３１に与えられる。
【００３０】
なお、前記撮影制御部３にはストロボ３８が接続されており、画像記録／入出力部３６には、プリンタ３９を接続することが可能である。
【００３１】
以上の構成に係る本実施の形態において、主制御部２が前記プログラムに基づき各部を制御することにより、電子カメラ１は図２〜図４に示す一連のフローチャートに示すように動作する。先ず、ユーザによる操作部６での操作によって撮影モードが設定されたか否かを判断し（ステップＳ１０１）、撮影モードが設定されていない場合には、後述する図４のフローチャートに進む。撮影モードが設定されている場合には、ユーザによる操作部６での操作によって「記録済みの画像から見本画像を選択」するが選択されたか否かを判断する（ステップＳ１０２）。
【００３２】
「記録済みの画像から見本画像を選択」が選択された場合には、記録済みの画像データのリスト又はサムネイル画像の一覧を表示させる（ステップＳ１０３）。つまり、前記メモリ媒体３７に記録されている各画像データファイルのファイル名のリスト、又は各画像データファイル中の画像データを抽出して作成したサムネイル画像、若しくは各画像データファイルに予め記憶してあるサムネイル画像の一覧を表示モニタ７に表示させる。次に、ユーザによる操作部６での操作に応じて、記録済みの画像データ、すなわちこの表示させたリスト又はサムネイル画像の一覧から、見本画像を選択する（ステップＳ１０４）。さらに、この選択された画像データ及びこの画像データとともに画像データファイルに記録されている当該画像の撮影条件、補正条件、編集条件のデータを読み出して、今回撮影時における撮影条件、補正条件、編集条件として設定する（ステップＳ１０５）。
【００３３】
また、ステップＳ１０２での判断の結果、「記録済みの画像から見本画像を選択」が選択されなかった場合には、「カスタム登録された撮影プログラムから選択」が選択されたか否かを判断する（ステップＳ１０６）。「カスタム登録された撮影プログラムから選択」が選択された場合には、前記カスタム登録メモリに登録されている撮影プログラムの見本画像又はプログラム名称の一覧を表示モニタ７に表示させる（ステップＳ１０７）。次に、ユーザによる操作部６での操作に応じて、前記見本画像又はプログラム名称に対応する撮影、補正、編集プログラムを選択する（ステップＳ１０８）。さらに、この選択された撮影プログラム毎の撮影条件、補正条件、編集条件のデータを読み出して、今回撮影時における撮影条件、補正条件、編集条件として設定する（ステップＳ１０９）。
【００３４】
また、ステップＳ１０６での判断の結果、「カスタム登録された撮影プログラムから選択」が選択されなかった場合には、「シーン別撮影プログラムから選択」が選択されたか否かを判断する（ステップＳ１１０）。「シーン別撮影プログラムから選択」が選択された場合には、前記シーン別プログラムメモリ登録されている見本画像又はシーン名称の一覧を表示モニタ７に表示させる（ステップＳ１１１）。次に、ユーザによる操作部６での操作に応じて、シーン別プログラム又はオートプログラムを選択する（ステップＳ１１２）。さらに、この選択された撮影プログラム毎の撮影条件、今回撮影時における撮影条件として設定する（ステップＳ１１３）。
【００３５】
また、ステップＳ１１０での判断の結果、「シーン別撮影プログラムから選択」が選択されなかった場合には、ユーザによる操作部６でのマニュアル操作に応じて、今回撮影時における撮影条件を設定する（ステップＳ１１４）。
【００３６】
そして、前記ステップＳ１０５、Ｓ１０９、Ｓ１１３及びＳ１１４のいずれかに続く図３のステップＳ１１５においては、ズーム処理、ＡＦ処理、測光処理を実行し、被写体像のスルー画像を表示モニタ７に表示させる（ステップＳ１１６）。したがって、ユーザはこの表示モニタ７に表示されたスルー画像を見ながら、この電子カメラ１の向きを調整する等してシャッタチャンスを窺う。次に、操作部６に設けられているレリーズ釦が半押しされたか否かを判断し（ステップＳ１１７）、半押しされない場合には、その他のキー処理を実行する（ステップＳ１１９）。
【００３７】
レリーズ釦が半押しされた場合には、再度当該時点で測光処理を実行し（ステップＳ１１８）、前記ステップＳ１０５、Ｓ１０９、Ｓ１１３、Ｓ１１４のいずれかで設定された撮影条件と、このステップＳ１１８での測光処理により得られた測光値とに応じて、露出条件（絞り値とシャッタスピード）を設定する（ステップＳ１２０）。次に、レリーズ釦が全押しされたか（又は、操作部６で所定の撮影操作がなされたか）否かを判断し（ステップＳ１２１）、全押しされたならば、設定された撮影条件と露出条件に基づいて、露出、撮影動作を行い、撮影画像（撮影画像データ）を取得する（ステップＳ１２２）。
【００３８】
引き続き、前記ステップＳ１０５又はＳ１０９の処理が実行されることにより、補正条件が設定されているか否かを判断する（ステップＳ１２３）。そして、前記ステップＳ１０５又はＳ１０９の処理が実行されることなく、ステップＳ１１３又はＳ１１４の処理が実行されることにより、補正条件が設定されていない場合には、ステップＳ１１３又はＳ１１４で選択されたシーン又は撮影条件に応じて、ステップＳ１２２で取得した撮影画像に対して所定の補正処理を施す（ステップＳ１２５）。これとは逆に、前記ステップＳ１０５又はＳ１０９の処理が実行されることにより、補正条件が設定されている場合には、ステップステップＳ１０５又はＳ１０９で設定された補正条件に基づいて、ステップＳ１２２で取得した撮影画像に対して画像補正処理を施す（ステップＳ１２４）。
【００３９】
また、前記ステップＳ１０５又はＳ１０９の処理が実行されることにより、編集条件が設定されているか否かを判断する（ステップＳ１２６）。そして、前記ステップＳ１０５又はＳ１０９の処理が実行されることなく、ステップＳ１１３又はＳ１１４の処理が実行されることにより、編集条件が設定されていない場合には、ステップＳ１１３又はＳ１１４で選択されたシーン又は撮影条件に応じて、ステップＳ１２２で取得した撮影画像に対して所定の編集処理を施す（ステップＳ１２８）。これとは逆に、前記ステップＳ１０５又はＳ１０９の処理が実行されることにより、編集条件が設定されている場合には、ステップステップＳ１０５又はＳ１０９で設定された編集条件に基づいて、ステップＳ１２２で取得した撮影画像に対して画像編集処理を施す（ステップＳ１２７）。
【００４０】
そして、前記ステップＳ１１２で取得した撮影画像データ又は（又は／及び）補正、編集された画像データを圧縮、符号化処理する（ステップＳ１２９）。さらに、この圧縮、符号化処理した撮影画像データ又は（又は／及び）補正、編集された画像データを、それぞれの撮影条件、補正条件、編集条件データとともに同一画像データファイルに記録し、ファイル名を付してメモリ媒体３７に記録する（ステップＳ１３０）。このとき、撮影画像データのサムネイルを作成して画像データファイルに記録する。また、撮影された画像、又は補正、編集された画像を表示モニタ７にレビュー表示する（ステップＳ１３１）
【００４１】
他方図２のステップＳ１０１での判断の結果、撮影モードが設定されていない場合には、図４のステップＳ１３２に進み再生モードが設定されているか否かを判断する（ステップＳ１３２）。再生モードも設定されていない場合には、その他のモード処理に移行する（ステップＳ１３３）。再生モードが設定されている場合には、画像の一覧表示が選択されたか否かを判断し（ステップＳ１３４）、選択された場合には、画像データの一覧リスト、又は画像データのサムネイル画像の一覧を表示させる（ステップＳ１３５）。つまり、前記メモリ媒体３７に記録されている各画像データファイルのファイル名のリスト、又は各画像データファイル中の画像データを抽出して作成したサムネイル画像、若しくは各画像データファイルに予め記憶してあるサムネイル画像の一覧を表示モニタ７に表示させる。
【００４２】
次に、画像の選択操作があったか否かを判断し（ステップＳ１３８）、選択操作がなされた場合には、操作入力に応じて、再生する画像を選択する（ステップＳ１３９）。そして、この選択された画像を伸張及び復号して、画像表示部（表示モニタ７）に表示する（ステップＳ１４０）。また、ステップＳ１３４で画像の一覧表示が選択されなかった場合には、この再生モードに移行する前の前回撮影モードで撮影した前回撮影画像、又は再生モードにおいて前回選択された前回選択画像を再生する画像として選択する（ステップＳ１３６）。そして、この選択された画像を伸張及び復号して、画像表示部（表示モニタ７）に表示する（ステップＳ１３７）。
【００４３】
また、ステップＳ１３８での判断の結果、画像の選択操作がない場合には、メニュー選択の操作があったか否かを判断し（ステップＳ１４１）、メニュー選択の操作もなかった場合には、その他のキー処理に移行する（ステップＳ１４２）。メニュー選択の操作があった場合には、画像再生、画像補正、画像編集モードを選択する為のメニュー画面を表示モニタ７に表示する（ステップＳ１４３）。また、このメニュー画面から、ユーザによる操作部６での操作入力に応じて、画像再生、画像補正、画像編集各モードのいずれかを選択する（ステップＳ１４４）。引き続き、この選択されたモードが画像補正モードであるか否かを判断する（ステップＳ１４５）。
【００４４】
画像補正モードである場合には、前記ステップＳ１３７又はステップＳ１４０で表示モニタ７に表示されている再生画像とともに（又は、これに重ねて）、該当する画像補正の操作画面を表示する（ステップＳ１４６）。引き続き、ユーザによる操作部６での操作入力に応じて、補正入力情報を表示し、補正条件データを設定する（ステップＳ１４７）。そして、該当する補正処理を実行し（ステップＳ１４８）、補正処理された画像を表示モニタ７にプレビュー表示する（ステップＳ１４９）。この補正処理画像がプレビュー表示した状態で、ユーザによる操作部６での操作により補正処理された画像を記録する指示（ＯＫ）があったか否かを判断し（ステップＳ１５０）、指示（ＯＫ）がなかった場合にはリターンする。
【００４５】
また、プレビュー表示された補正処理画像を見たユーザがこれに満足し、記録する指示（ＯＫ）を行った場合には、ステップＳ１５０からステップＳ１５１に進み、当該補正処理された画像の画像データを圧縮して符号化する（ステップＳ１５１）。引き続き、元の画像データとは別ファイルにして、補正された画像データを、撮影条件、補正条件、編集条件データとともに、ファイル名を付してメモリ媒体３７に記録する（ステップＳ１５２）。このとき、補正処理された画像データのサムネイルを作成して画像データファイルに記録する。また、ユーザによる操作部６での操作により、撮影プログラムとしてカスタム登録する指示があったか否かを判断し（ステップＳ１５３）、指示があった場合には、前記カスタム登録メモリに、当該画像の撮影条件、補正条件、編集条件データを見本画像（当該画像）又は説明を付けて、撮影プログラムとして追加登録する（ステップＳ１５４）。
【００４６】
また、ステップＳ１４５での判断の結果、選択されたモードが画像補正モードでなかった場合には、画像編集モードであるか否かを判断し（ステップＳ１５５）、画像編集モードでもなかった場合には、その他の再生モード処理に移行する（ステップＳ１５６）。画像編集モードである場合には、前記ステップＳ１３７又はステップＳ１４０で表示モニタ７に表示されている再生画像とともに（又は、これに重ねて）、該当する画像編集の操作画面を表示する（ステップＳ１５７）。
【００４７】
引き続き、ユーザによる操作部６での操作入力に応じて、編集入力情報を表示し、編集条件データを設定する（ステップＳ１５８）。そして、該当する編集処理を実行し（ステップＳ１５９）、編集処理された画像を表示モニタ７にプレビュー表示する（ステップＳ１６０）。この編集処理画像がプレビュー表示した状態で、ユーザによる操作部６での操作により編集処理された画像を記録する指示（ＯＫ）があったか否かを判断し（ステップＳ１６１）、指示（ＯＫ）がなかった場合にはリターンする。また、プレビュー表示された編集処理画像を見たユーザがこれに満足し、記録する指示（ＯＫ）を行った場合には、ステップＳ１６１からステップＳ１５１に進み、前述したステップＳ１５０〜Ｓ１５４の処理を実行する。
【００４８】
図５〜図７は、以上に説明した本実施の形態における処理を示す説明図であり、図５は、通常の撮影時の処理を示す説明図である。図示のように、通常の撮影時（ステップＳ１１４の処理が行われた場合）においては、設定操作に予め撮影条件を設定し（Ａ１）、撮影操作があったならば、被写体像を設定された撮影条件で撮影処理（Ａ２）するとともに、信号処理（Ａ２）して撮影画像（Ａ４）を得る。そして、この撮影画像の画像データと撮影条件データ（Ａ５）とを圧縮及び符号化し（Ａ６）、同一の画像データファイル（Ａ７）に符号化された画像データを記録するとともに、ヘッダー情報として撮影条件データなどを記録する。なお、この画像データファイル（Ａ７）には、サムネイル画像データも記憶する。
【００４９】
図６は、撮影後のユーザ操作による補正及び編集時の処理を示す説明図である。画像の選択操作により選択された画像データファイル（Ｂ１）を画像再生手段（Ｂ２）により再生し、伸張及び符号化（Ｂ３）して、復号再生画像（Ｂ４）を表示させる。また、マニュアル操作に応じて、補正条件を設定するとともに（Ｂ５）、編集条件を設定する（Ｂ６）。そして、復号再生画像（Ｂ４）を補正条件に従って画像補正処理（Ｂ７）するとともに、編集条件に従って画像編集処理（Ｂ８）する。そして、この補正、編集処理された画像（Ｂ９）と補正条件データ（Ｂ１０）及び編集条件データ（Ｂ１１）を圧縮及び符号化し（Ａ６）、同一の画像データファイル（Ｂ１３）に符号化された画像データを記録するとともに、ヘッダー情報として撮影条件データ、補正条件データ、編集条件データを記録する。なお、この画像データファイル（Ｂ１３）には、サムネイル画像データも記憶する。
【００５０】
図７は、補正、編集の見本画像を選択してから、撮影して自動補正、編集するときの処理を示す説明図である。編集処理の見本画像の設定（Ｃ１）する際に、見本画像の選択操作により補正、編集済の画像データファイル（Ｃ２）のいずれかを選択し、この選択した補正、編集済の画像データファイル（Ｃ２）を復号する（Ｃ３）。この復号により、当該補正、編集済の画像データファイル（Ｃ２）のヘッダ情報として記録されていた撮影条件データ（Ｃ４）、補正条件データ（Ｃ５）、編集条件データ（Ｃ６）を得る。撮影条件データ（Ｃ４）は、前記ステップＳ１１４での処理（マニュアル設定）が行われなかった場合には、撮影条件として設定され（Ｃ７）、また、補正条件データ（Ｃ５）は補正条件として設定され（Ｃ８）、編集条件データ（Ｃ６）は編集条件として設定される（Ｃ９）。
【００５１】
一方、撮影操作があったならば、被写体像をマニュアル設定された撮影条件又は撮影条件データ（Ｃ４）に基づく撮影条件で撮影処理（Ｃ１０）するとともに、信号処理（Ｃ１１）して撮影画像（Ｃ１２）を得る。そして、この撮影画像を設定された補正条件（Ｃ９）に従って画像補正処理（Ｃ１３）するとともに、設定された編集条件（Ｃ９）に従って画像編集処理する（Ｃ１４）。次に、この自動補正、編集処理された撮影画像（Ｃ１５）と、撮影に用いた撮影条件データ（Ｃ１６）、補正処理に用いた補正条件データ（Ｃ１７）、編集処理に用いた編集条件データ（Ｃ１７）を圧縮及び符号化し（Ｃ１８）、同一の補正／編集後の撮影画像のデータファイル（Ｃ１９）に記録する。
【００５２】
なお、この画像データファイル（Ｃ１７）には、サムネイル画像データも記憶する。また、前述したフローチャートにおいては示されていないが、補正、編集前の画像データも、補正／編集前の撮影画像のデータファイル（Ｃ２０）にして記録する。この補正／編集前の撮影画像のデータファイル（Ｃ２０）には、補正、編集前の撮影画像データのみを記録してもよいし、該撮影画像データとともにヘッダ情報として撮影条件データを記録してもよい。
【００５３】
図８は、前記ステップＳ１２４、Ｓ１４８、及び後述する図１６のフローチャートにおけるステップＳ４１６において実行される画像補正処理の詳細を示すサブルーチンである。対象の撮影画像データ又は記録済み画像データを複製（コピー）して読み込み（ステップＳ２０１）、補正入力情報又は設定された補正条件データを読み込む（ステップＳ２０２）。次に、この読み込んだ補正入力情報又は設定された補正条件データが、ノイズ除去補正処理であるか否かを判断し（ステップＳ２０３）、ノイズ除去補正処理である場合には補正入力情報又は補正条件データに従って、ノイズ除去処理を実行する（ステップＳ２０４）。また、レベル補正処理であるか否かを判断し（ステップＳ２０５）、レベル補正処理である場合には補正入力情報又は補正条件データに従って、レベルの補正処理を実行する（ステップＳ２０６）。また、色相、彩度補正処理であるか否かを判断し（ステップＳ２０７）、色相、彩度補正処理である場合には補正入力情報又は補正条件データに従って、色相、彩度の補正処理を実行する（ステップＳ２０８）。
【００５４】
また、その他のフィルタ補正処理であるか否かを判断し（ステップＳ２０９）、その他のフィルタ補正処理である場合には補正入力情報又は補正条件データに従って、該当するフィルタ処理を実行する（ステップＳ２１０）。また、トーンカーブ補正処理であるか否かを判断し（ステップＳ２１１）、トーンカーブ補正処理である場合には補正入力情報又は補正条件データに従って、トーンカーブ補正若しくは階調補正処理を実行する（ステップＳ２１２）。また、シャープネス補正処理であるか否かを判断し（ステップＳ２１３）、シャープネス補正処理である場合には補正入力情報又は補正条件データに従って、シャープネス補正若しくは鮮鋭化処理を実行する（ステップＳ２１４）。そして、以上により補正された補正後の画像データとともに、各補正条件の設定データを出力する（ステップＳ２１５）。
【００５５】
図９及び図１０は、図８のフロー中に示した各画像補正処理の概略と補正条件データの例を示す一連の図である。例えば、
（ａ）ノイズ除去処理では、ノイズ除去フィルタの演算係数など、設定されたノイズ除去に関する補正条件データに従って、入力画像の各画素値（輝度値、色差値）に対して、周囲の局所領域の画素値等を用いて、平均値フィルタや中央値フィルタなどノイズ除去フィルタ処理演算を行いノイズ除去補正を行うことができる。
（ｂ）輝度信号又は色差信号のレベル補正処理では、入出力変換式など設定されたレベル補正に関する補正条件データに従って、入力画像の各画素値に対し、例えば、
【００５６】
ｙ＝ｕ（ｘ＜ａのとき）、ｙ＝｛（Ｖ−ｕ）／（ｂ−ａ）｝｛ｘ−ａ｝＋ｕ（ａ≦ｘ≦ｂのとき）、ｙ＝Ｖ（ｘ＞ｂのとき）
などの変換式を設定して、レベル変換演算を行い、輝度レベルや色差レベルの分布を変換し、ダイナミックレンジを広げたり、露出補正や白飛びや黒つぶれなどを補正する。
（ｃ）同様に、色相／彩度の補正では、色相や彩度の補正値など、色相や彩度に間する補正条件データに従って、入力画像の各画素値のＲＧＢ成分など色差成分のバランスや比率などを操作して、各面素値の色相や彩度を補正することができる。あるいは、ＲＧＢ系の色空間座標を所定の変換式でＹＵＶ系やＬ＊ａ＊ｂ＊系、ＨＳＢ系（Ｈ：色相／Ｓ：彩度／Ｂ：明度）など他の色空間に変換して色空間座標値に対し補正操作を加えて、色相や彩度、明度などを調整することができる。
（ｄ）その他フィルタ処理では、補正条件データに従って、入力画像の各画素値に対して、カラー強調フィルタ、色変換フィルタ、２値化フィルタなど、各種の補正フィルタによる演算を施し、入力画像に所定の色強調補正を行ったり、モノクロ画像やセピア画像、イラスト風画像等に変換したりすることができる。
（ｅ）トーンカーブ補正処理では、補正条件データに従って、非線形の入出力変換式や変換カーブ（曲線）等を設定して、人力画像のガンマ特性や輝度分布ヒストグラムなどを補正して、中間階調やコントラストなどを補正することができる。
（ｆ）シャープネス補正処理では、シャープネス補正フィルタの演算係数など、設定された補正条件データに従って、入力画像の各画素値（輝度値、色差値）に対して、周囲の局所領域の画素値等を用いて、一次微分フィルタや二次微分フィルタ、ラプラシアン（Ｌａｐａｃｉａｎｔ）フィルタなど、各種の補正フィルタ処理演算を行い、シャープネス補正や輪郭強調を行うことができる。
【００５７】
図１１は、前記ステップＳ１２７、Ｓ１５９、及び後述する図１６のフローチャートおけるステップＳ４１７において実行される画像編集処理の詳細を示すサブルーチンである。対象の撮影画像データ又は記録済み画像データを複製（コピー）して読み込み（ステップＳ３０１）、編集入力情報又は設定された編集条件データを読み込む（ステップＳ３０２）。次に、この読み込んだ編集入力情報又は設定された編集条件データが、回転、拡大、縮小処理であるか否かを判断し（ステップＳ３０３）、回転、拡大、縮小処理である場合には編集入力情報又は編集条件データに従って、回転、拡大、縮小処理を実行する（ステップＳ３０４）。また、画像特徴の抽出、認識処理であるか否かを判断し（ステップＳ３０５）、画像特徴の抽出、認識処理である場合には編集入力情報又は編集条件データに従って、画像特徴の抽出、認識処理を実行する（ステップＳ３０６）。また、トリミング処理であるか否かを判断し（ステップＳ３０７）、トリミング処理である場合には編集入力情報又は編集条件データに従って、トリミングやクロッピング処理を実行する（ステップＳ３０８）。
【００５８】
また、画像合成処理であるか否かを判断し（ステップＳ３０９）、画像合成処理である場合には編集入力情報又は編集条件データに従って、画像合成処理を実行する（ステップＳ３１０）。また、リサイズ処理であるか否かを判断し（ステップＳ３１１）、リサイズ処理である場合には編集入力情報又は編集条件データに従って、リサイズ（画像サイズ、解像度の変換）処理を実行する（ステップＳ３１２）。また、レイアウト編集処理であるか否かを判断し（ステップＳ３１３）、レイアウト編集処理である場合には編集入力情報又は編集条件データに従って、レイアウト編集処理を実行する（ステップＳ３１４）。そして、以上により編集された編集後の画像データとともに、各編集条件の設定データを出力する（ステップＳ３１５）。
【００５９】
図１２及び図１３は、図８のフロー中に示した各画像編集処理の概略と編集条件データの例を示す一連の図である。例えば、
（ｇ）画像の回転、拡大、縮小処理では、設定された編集条件データに従って、画像の向きや縦横を変換したり、拡大や縮小処理をしたり、縦横比やアスペクト比等を変換したりする。
（ｈ）画像の特徴抽出、画像領域の抽出、画像認識処理では、設定された編集条件データに従って、入力画像の所定の領域から輝度値や色差値、ＨＳＢ値、移動ベクトルなどの特微量を抽出したり、又は、抽出された特微量に応じて領域画像を抽出したり、画像の特徴量から被写体の種別やシーンなどを認識処理したりする。
（ｉ）トリミングでは、トリミングする位置座標や範囲の指定データなど編集条件データに従って、入力画像の中から所定領域の画像を切り取るなど、トリミング（クロッピング）処理を行う。
（ｊ）画像合成処理では、合成する画像又は背景画像の指定データ、各画像の拡大縮小率や合成位置の座標、前面、背面など重なり優先順位の指定データなど、設定された編集条件データに従って、複数の入力画像から合成処理された画像を出力する。
（ｋ）リサイズでは、リサイズ前、後の画像サイズの指定データや、リサイズ率の指定データなど、編集条件データに従って、画像サイズの変換や解像度の変換を行う。また、画像サイズ変換に伴い、サイズを小さく場合には、所定の間引き処理又は周囲領域画素との画素混合や画素加算処理、サイズを大きくする場合には、所定の画素補間又は画素混合処理、又は、間引きや補間に伴う画質劣化を抑制する為の輪郭強調やスムージング処理などを合わせて行ってもよい。
（ｌ）レイアウト編集処理では、主に、画像をプリントしたり、文書に貼付したりするために、配置する画像や背景画像の指定データ、拡大縮小率、配置位置の座標、重なり優先順位の指定データなど、設定された編集条件データに従って、レイアウト編集された画像を１枚のプリント用画像などに合成して出力する。また、それら操作に伴って、上述のトリミングや画像領域の抽出、回転、拡大、縮小、画像合成など、その他編集処理を組合せて行ってもよい。
【００６０】
図１４は、撮影プログラム、あるいは、記録画像における、その撮影条件、補正条件、編集条件データの例を示す図である。図に示すように、撮影条件としては、ＥＶシフト、ストロボ、ホワイトバランス（ＷＢ）、ＩＳＯ感度、ＡＦエリア等、撮影時の補正条件としてはフィルタ、色強調、彩度、シャープネス等、撮影後の補正条件としては、レベル補正、彩度、シャープネス等、撮影後の編集条件としては、拡大／縮小、画像合成、レイアウト編集等である
【００６１】
図１５は、撮影条件、補正条件、編集条件データをヘッダ情報部などに記録する際の構成を、ＥＸＩＦ ＪＰＥＧ画像データファイルに準拠したヘッダ情報の例で示す図である。無論、その他ファイル形式やデータ形式、独自の形式等で記録するように構成してもよい。
【００６２】
しかして、以上に説明した第１の実施の形態によれば、
（１）以前にマニュアル操作で所望の画像補正や画像編集を行って記録された画像の中から画像補正や画像編集の手本となる画像データを選択し、今回の被写体像を撮影するだけで、撮影された画像に対して、選択された記録済画像の補正条件や編集条件に基づいて、同様の処理を施し、補正や編集された画像データが自動的に記録することができる。よって、所望の微妙な画像補正や細かな画像編集を、簡単かつ撮影時に自動的に行うことができる。
（２）撮影後に画像データをパソコンに転送したり、レタッチソフトで画像補正作業したりする手間が不要となり、撮影後すぐに、補正や編集済の画像をダイレクトプリンタで印刷することがでる。
（３）補正条件や編集条件を撮影条件とともに組みデータとして、カスタム設定の撮影プログラムとして登録できるようにしたので、シーン撮影モードと同様の操作で、登録された撮影プログラムや見本画像を選択して撮影するだけで、所望の撮影処理かつ所望の補正処理、編集処理の一連の処理を施した画像データを容易に撮影し記録することができる。
（４）メーカーや専門家が補正や編集した見本の画像データ、若しくは、その組データによる撮影プログラムを、多数記憶や登録しておくと、他人や専門家の上手な補正や編集のノウハウや技術を、簡単に共用や再利用することができる。
【００６３】
なお、補正や編集する画像データは、撮影画像データから複製された画像データに補正や編集処理を行い、補正や編集を施さない元の画像データを残したまま、別に保存記録できるようにすることが好ましい。また、前述の画像補正では、ノイズ除去、レベル補正、色相／彩度の補正、各種フィルタ処理、階調補正、輪郭強調などの画像補正処理を例に挙げたが、ブレ補正、ボケ補正、補色補正、歪曲補正、レンズ収差の補正、赤眼の補正、肌色補正などの補正処理を行うようにしてもよい。また、前述の画像編集では、回転、拡大／縮小、画像抽出／画像認識、トリミング、画像合成、リサイズ、レイアウト編集などを例に挙げたが、他の編集処理や印刷設定、画像処理などを行うようにしてもよい。さらに、静止画像だけでなく動画像の補正処理や編集処理、印刷レイアウト編集、あるいは、音声データの補正や編集処理なども同時に行えるようにしてもよい。
【００６４】
（第２の実施の形態）
図１６及び図１７は、本発明の第２の実施の形態における動作を示すフローチャートであり、主制御部２が前記プログラムに基づき各部を制御することにより、電子カメラ１はこのフローチャートに示すように動作する。先ず、ユーザによる操作部６での操作によって撮影モードと自動補正／編集モードとが設定されたか否かを判断し（ステップＳ４０１）、撮影モードと自動補正／編集モードとが設定されていない場合には、他のモード処理に移行する。撮影モードと自動補正／編集モードとが設定されている場合には、ユーザによる操作部６での操作によって、「補正／編集後の見本画像を選択」が選択されたか否かを判断し（ステップＳ４０２）、選択されなかった場合には、後述する図１７のステップＳ４２１に進む。
【００６５】
「補正／編集後の見本画像を選択」が選択された場合には、ユーザによる操作部６での操作入力に応じて、補正、編集項目を選択する（ステップＳ４０３）。また、操作入力に応じて、メモリ媒体３７に記録済みの画像データから補正又は編集後の見本画像（Ａ）を選択する（ステップＳ４０４）。そして、この補正又は編集後の見本画像データ（Ａ）とともに記録されている撮影条件データを撮影条件として設定する（ステップＳ４０５）。また、選択された画像データ（Ａ）を復号し、選択された補正、編集項目に応じて画像の特徴量Ｆ（Ａ）を抽出する（ステップＳ４０６）。
【００６６】
引き続き、ズーム処理、ＡＦ処理、ＷＢ処理を実行し（ステップＳ４０７）、被写体像のスルー画像を表示モニタ７に表示させる（ステップＳ４０８）。したがって、ユーザはこの表示モニタ７に表示されたスルー画像を見ながら、この電子カメラ１の向きを調整する等してシャッタチャンスを窺う。次に、操作部６に設けられているレリーズ釦が半押しされたか否かを判断し（ステップＳ４０９）、半押しされるまで、ステップＳ４０７からの処理を繰り返す。
【００６７】
レリーズ釦が半押しされたならば、測光処理を実行し（ステップＳ４１０）、前記ステップＳ４０５で設定された撮影条件と、このステップＳ４１０での測光処理により得られた測光値とに応じて、露出条件（絞り値とシャッタスピード）を設定する（ステップＳ４１１）。次に、レリーズ釦が全押しされたか（又は、操作部６で所定の撮影操作がなされたか）否かを判断し（ステップＳ４１２）、全押しされたならば、設定された撮影条件と露出条件に基づいて、露出、撮影動作を行い、撮影画像（Ｂ１）を取得する（ステップＳ４１３）。そして、前記ステップＳ４０３で選択された補正、編集項目に応じて、撮影画像（Ｂ１）の特徴量Ｆ（Ｂ１）を抽出する（ステップＳ４１４）。
【００６８】
次に、前記ステップＳ４０６で抽出した見本画像（Ａ）の特徴量Ｆ（Ａ）と、ステップＳ４１４で抽出した撮影画像（Ｂ１）の特徴量Ｆ（Ｂ１）とから、当該補正、編集項目の補正量、編集量若しくは補正式、編集式を算出し、補正条件、編集条件として設定する（ステップＳ４１５）。引き続き、このステップＳ４１５で設定で設定された撮影条件に基づいて、撮影画像に画像補正処理を施すとともに（ステップＳ４１６）、同設定された編集条件に基づいて、撮影画像に画像編集処理を施す（ステップＳ４１７）。
【００６９】
そして、撮影画像データ（Ｂ１）、及び補正／編集された画像データ（Ｂ２）を圧縮、符号化処理する（ステップＳ４１８）。さらに、この圧縮、符号化処理した撮影画像データ（Ｂ１）、及び補正／編集された画像データ（Ｂ２）を、それぞれの撮影条件、補正条件、編集条件データとともに同一画像データファイルに記録し、ファイル名を付してメモリ媒体３７に記録する（ステップＳ４１９）。また、撮影された画像、及び／又は補正、編集された画像を表示モニタ７にレビュー表示する（ステップＳ４２０）。
【００７０】
図１８は、以上に説明した第２の実施の形態における図１６のフローにより実行される撮影処理、画像補正処理（補正項目と補正後の見本画像（Ａ）を選択して自動補正撮影）の手順を示す説明図である。操作入力に応じて、メモリ媒体に記録済みの画像データから補正又は編集後の見本画像（Ａ）の画像データファイル（Ｄ１）を選択する。この補正又は編集後の見本画像データ（Ａ）とともに記録されている撮影条件データ（Ｄ２）を撮影条件として設定する（Ｄ３）。また、選択された画像データ（Ａ）を復伸張、復号し（Ｄ４）、、選択された補正、編集項目に応じて画像の特徴量Ｆ（Ａ）を抽出する（Ｄ５）。撮影操作がなされると、撮影処理（Ｄ６）、信号処理（Ｄ７）を行って、撮影画像（Ｂ１）を取得する（Ｄ８）。そして、撮影画像（Ｂ１）の特徴量Ｆ（Ｂ１）を抽出する（Ｄ９）。
【００７１】
見本画像（Ａ）の特徴量Ｆ（Ａ）と、撮影画像（Ｂ１）の特徴量Ｆ（Ｂ１）とから、当該補正、編集項目の補正量、編集量若しくは補正式、編集式を算出し（Ｄ１０）、補正条件データ（Ｄ１１）、編集条件データ（Ｄ１２）として設定し（Ｄ１３、Ｄ１４）、撮影画像に画像補正処理（Ｄ１５）と画像編集処理（Ｄ１６）とを施す。補正／編集された画像データ（Ｂ２）を圧縮、符号化処理し（Ｄ１７）、撮影条件データ（Ｄ１８）、補正条件データ（Ｄ１９）、編集条件データ（Ｄ２０）とともに同一画像データファイル（Ｄ２１）に記録する。
【００７２】
図１９は、前述した第２の実施の形態における図１６のフローにより実行される画像補正処理の例（輝度レベル変換）の手順を示す説明図である。補正後の見本画像Ａと撮影画像Ｂ１とから、特徴抽出され（Ｅ１，Ｅ３）、輝度レベルが取得され（Ｅ２，Ｅ４）、補正利用の算出又は変換式の推定がなされる（Ｅ５，Ｅ６，Ｅ７）。この補正量（Ｅ６）又は変換式（Ｅ７）が補正条件として設定され（Ｅ８）、撮影画像Ｂ１が有する輝度レベル（Ｅ９）は、設定された補正条件（Ｅ８）に基づく画像補正処理（Ｅ１０）によって、補正後の輝度レベル（Ｅ１１）を有する自動補正された撮影画像Ｂ２が生成されることとなる。
【００７３】
つまり、 本例では、（第１実施例のように記録済み画像に記録された補正条件データ等を用いる代りに、）ユーザによる操作入力に応じて、補正したい補正項目を選択し、また、記録済み画像の中から、画像補正のための見本とする画像（Ａ）を選択して、撮影操作が入力されると、撮影動作を行うとともに、見本画像における補正項目に関する特徴量Ｆ（Ａ）と、撮影画像（ＢＩ）における当該特徴量Ｆ（Ｂ１）とをそれぞれ検出し、Ｆ（ＢＩ）とＦ（Ａ）との（比または差、関係式などの）比較結果等に基づいて、当該補正項目の補正量若しくは補正式などを求める。そして、撮影画像データ（Ｂ１）に対して、求めた補正量若しくは補正式などに基づいて当該項目の画像補正を自動的に実行し、補正された画像データ（Ｂ２）を生成して、圧縮／符号化してメモリ媒体等に記録できるように制御するものである。
【００７４】
例えば、撮影画像（Ｂ１）の各画素のＲＧＢやＹＵＶなど色差信号の色差値や輝度値（階調値）をｘ、階調値毎の頻度値をＰ（ｘ）とすると、その分布における階調値（ｘ）の最小値（ｘ＝ａ）及び最大値（ｘ＝ｂ）と、見本画像（Ａ）の各画素の同じく階調値（ｙ）の分布における最小値（ｙ＝ｕ）及び最大値（ｙ＝Ｖ）とから、撮影画像（Ｂ１）の分布を見本画像（Ａ）の分布に近づけるように補正した撮影画像（Ｂ２）を得るために、撮影画像（Ｂ１）の階調値（ｘ）を補正画像（Ｂ２）の階調値（ｙ）に変換する次式、
【００７５】
ｙ＝ｕ（ｘ＜ａのとき）、ｙ＝｛（Ｖ−ｕ）／（ｂ−ａ）｝｛ｘ−ａ｝＋ｕ（ａ≦ｘ≦ｂのとき）、ｙ＝Ｖ（ｘ＞ｂのとき）
など、所定の補正式や補正パラメータを補正条件として設定して、色差信号や輝度信号のレベル補正を行う。この場合も、撮影され補正された画像データ（Ｂ２）を圧縮符号化／若しくは／符号化して記録する際には、撮影時に補正処理の際の補正条件を補正条件データとして、画像データに対応付けてメモリ媒体に記録するようにして、当該撮影記録された画像データを他の撮影における見本画像として再度利用できるようにするのが好ましい。また、補正前の撮影画像データ（ＢＩ）と補正後の画像データ（Ｂ２）とを別にそれぞれメモリ媒体に記録するように制御してもよい。
【００７６】
しかして、本実施の形態によれば、補正したい撮影項目と撮影時における画像補正の見本画像とを選択して、撮影操作をするだけで、今回の撮影画像に対して、見本画像と略同じ特性となるように自動的に画像補正処理が施されて記録されるので、ユーザ所望に近い微妙な補正処理が施された撮影画像が、初心者でも簡単な操作で得られる。
【００７７】
また、画像データとともに記録された補正条件データなどを用いる代わりに、見本画像を選択するだけでよいので、アバウトに「この画像のような感じになるように補正したい」などの微妙であいまいな要望に対しでも、略要望に近い補正処理が自動的に行える。また、他のデータ形式を用いて記録された画像データや、他のカメラで撮影された画像データや、補正条件データなどが記録されていない画像データをも、補正処理の見本画像として利用できる利点がある。
【００７８】
他方、図１６のフローチャートにおいて、ステップＳ４０２で「補正／編集後の見本画像を選択」が選択されなかった場合には、図１７のステップＳ４２１に進み「補正又編集前、後の見本画像を選択する」が選択されたか否かを判断し、選択されなかった場合には、その他の撮影条件の設定処理に移行する（Ｓ４２２）。「補正又編集前、後の見本画像を選択する」が選択された場合には、ユーザによる操作部６での操作入力に応じて、補正、編集項目を選択する（ステップＳ４２３）。また、操作入力に応じて、メモリ媒体３７に記録済みの画像データから、補正又は編集前、後の見本画像（Ａ１）（Ａ２）を選択する（ステップＳ４２４）。そして、この補正又は編集前の見本画像データ（Ａ１）とともに記録されている撮影条件データを撮影条件として設定する（ステップＳ４０５）。また、この補正又は編集前の画像データ（Ａ１）を復号し、選択された補正、編集項目に応じて画像の特徴量Ｆ（Ａ１）を抽出するとともに（ステップＳ４２６）、前記補正又は編集後の画像データ（Ａ２）を復号し、選択された補正、編集項目に応じて画像の特徴量Ｆ（Ａ２）を抽出する（ステップＳ４２７）。さらに、前記ステップＳ４２６で抽出した補正、編集前の見本画像（Ａ１）の特徴量Ｆ（Ａ１）と、ステップＳ４２７で抽出した補正、編集後の見本画像（Ａ２）の特徴量Ｆ（Ａ２）とから、当該補正、編集項目の補正量、編集量若しくは補正式、編集式を算出し、補正条件、編集条件として設定する（ステップＳ４２８）。
【００７９】
引き続き、ズーム処理、ＡＦ処理、ＷＢ処理を実行し（ステップＳ４２９）、被写体像のスルー画像を表示モニタ７に表示させる（ステップＳ４３０）。したがって、ユーザはこの表示モニタ７に表示されたスルー画像を見ながら、この電子カメラ１の向きを調整する等してシャッタチャンスを窺う。次に、操作部６に設けられているレリーズ釦が半押しされたか否かを判断し（ステップＳ４３１）、半押しされるまで、ステップＳ４０７からの処理を繰り返す。
【００８０】
レリーズ釦が半押しされたならば、測光処理を実行し（ステップＳ４３１）、前記ステップＳ４２５で設定された撮影条件と、このステップＳ４３１での測光処理により得られた測光値とに応じて、露出条件（絞り値とシャッタスピード）を設定する（ステップＳ４３３）。次に、レリーズ釦が全押しされたか（又は、操作部６で所定の撮影操作がなされたか）否かを判断し（ステップＳ４３４）、全押しされたならば、設定された撮影条件と露出条件に基づいて、露出、撮影動作を行い、撮影画像（Ｂ１）を取得する（ステップＳ４１３）。しかる後に、前述した図１６のフローチャートにおけるステップＳ４１６以降の処理を実行する。
【００８１】
図２０は、以上に説明した第２の実施の形態における図１７のフローにより実行される撮影処理、画像補正処理（補正項目と補正前／後の見本画像Ａ１，Ａ２を選択して自動補正撮影）の手順を示す説明図である。記録済みの画像データファイル（Ｆ１）から、補正又は編集前、後の見本画像（Ａ１）（Ａ２）を選択し、この補正又は編集前の見本画像データ（Ａ１）とともに記録されている撮影条件データ（Ｆ２）を撮影条件として設定する（Ｆ３）。編集前の画像データ（Ａ１）を復号し（Ｆ４）、選択された補正、編集項目に応じて画像の特徴量を抽出し（Ｆ５）、補正又は編集後の画像データ（Ａ２）を復号し（Ｆ４）、選択された補正、編集項目に応じて画像の特徴量を抽出する（Ｆ６）。編集前の見本画像（Ａ１）の特徴量と、編集後の見本画像（Ａ２）の特徴量Ｆ（Ａ２）とから、当該補正、編集項目の補正量、編集量若しくは補正式、編集式を算出し（Ｆ７）、補正条件データ（Ｆ８）、編集条件データ（Ｆ９）として設定する（Ｆ１３、Ｆ１４）。
【００８２】
撮影操作がなされ撮影操作がなされると、撮影処理（Ｆ１０）、信号処理（Ｆ１１）を行って、撮影画像（Ｂ１）を取得し（Ｆ１２）、補正条件データ（Ｆ８）、編集条件データ（Ｆ９）により）、撮影画像に画像補正処理（Ｆ１５）と画像編集処理（Ｆ１６）とを施す。補正／編集された画像データ（Ｂ２）を圧縮、符号化処理し（Ｆ１７）、撮影条件データ（Ｆ２）、補正条件データ（Ｆ８）、編集条件データ（Ｆ９）とともに同一画像データファイル（Ｆ１８）に記録する。
【００８３】
図２１は、前述した第２の実施の形態における図１７のフローにより実行される画像補正処理の例（輝度レベル変換）の手順を示す説明図である。対応する補正前の見本画像Ａ１と補正後の見本画像Ａ２とから、特徴抽出され（Ｇ１，Ｇ３）、輝度レベルが取得され（Ｇ２，Ｇ４）、補正利用の算出又は変換式の推定がなされる（Ｇ５，Ｇ６，Ｇ７）。この補正量（Ｇ６）又は変換式（Ｇ７）が補正条件として設定され（Ｇ８）、撮影画像Ｂ１が有する輝度レベル（Ｇ９）は、設定された補正条件（Ｇ８）に基づく画像補正処理（Ｇ１０）によって、補正後の輝度レベル（Ｇ１１）を有する自動補正された撮影画像Ｂ２が生成されることとなる。
【００８４】
つまり、本例ではカメラの制御部では、ユーザによる操作入力部の操作入力に応じて、補正項目を選択し、また、記録済み画像の中から、補正前に相当する見本画像（Ａ１）と、補正後に相当する見本画像（Ａ２）とを選択すると、補正前／後の見本画像における補正項目に関する特徴量Ｆ（Ａ１）、Ｆ（Ａ２）をそれぞれ検出し、補正前／後の見本画像における特徴量Ｆ（Ａ１）、Ｆ（Ａ２）の（比または差、関係式などの）比較結果等に基づいて、当該補正項目の補正量もしくは補正式を演算もしくは推定演算して求める。また、選択された補正項目と求めた補正量もしくは補正式とをカメラの補正条件として設定するように制御する。そして、レリーズ釦等による撮影操作が入力されると、撮影動作を行うとともに、撮影画像（Ｂ１）に対して、求めた補正量もしくは補正式に基づいて当該項目の画像補正処理を自動的に実行し、補正された画像データ（Ｂ２）をメモリ媒体に記録できるようにしたものである。
【００８５】
例えば、補正前の画像（Ａ１）の各画素のＲＧＢやＹＵＶなど各色差信号や輝度信号の階調値をｘ、各階調値毎の頻度値をＰ（ｘ）とすると、階調値（ｘ）の分布における最小値（ｘ＝ａ）及び最大値（ｘ＝ｂ）と、補正後の見本画像（Ａ２）の各画素の階調値（ｙ）の分布における最小値（ｙ＝ｕ）及び最大値（ｙ＝Ｖ）とから、見本画像における次のような変換式、
【００８６】
ｙ＝ｕ（ｘ＜ａのとき）、ｙ＝｛（Ｖ−ｕ）／（ｂ−ａ）｝｛ｘ−ａ｝＋ｕ（ａ≦ｘ≦ｂのとき）、ｙ＝Ｖ（ｘ＞ｂのとき）
など、所定の補正式や補正パラメータを補正条件として設定する。そして、見本画像（Ａ１）から見本画像（Ａ２）への変換と同様の変換を、撮影画像（Ｂ１）の階調値分布に対して行い、撮影画像（Ｂ１）の階調値（ｘ）を補正画像（Ｂ２）の階調値（ｙ）に変換して、色差信号や輝度信号のレベル補正処理を行う。この場合も、撮影され補正された画像データを圧縮符号化／もしくは／符号化して記録する際には、撮影時に補正処理の際の補正条件を補正条件データとして、画像データに対応付けてメモリ媒体に記録するようにして、当該撮影記録された画像データを他の撮影における見本画像として再度利用できるようにすることが好ましい。また、補正前の撮影画像データ（Ｂ１）と補正後の画像データ（Ｂ２）とを、それぞれ別にメモリ媒体に記録するように制御してもよい。
【００８７】
しかして、本実施の形態によれば、補正したい撮影項目を選択し、また、記録済みの画像の中から、撮影時における画像補正の補正前／後の見本画像を選択して、撮影操作をするだけで、今回の撮影画像に対して、補正前の見本画像が補正後の見本画像に補正されるのと略同様の補正処理になるように、自動的に補正された撮影画像が得られて記録されるので、ユーザ所望に近い微妙な補正処理が施された撮影画像も、初心者でも簡単な操作で撮影記録できる。また、画像データとともに記録された補正条件データなどを用いる代わりに、補正前後の見本画像を選択するだけでよいので、アバウトに「この画像があの画像に補正されるような感じで補正したい」などの微妙であいまいな要望に対しでも、所望に略近い補正処理を行うことができる。
【００８８】
なお、画像編集ソフトを用いてパソコンで画像を編集すると編集画像と編集条件データとが対応付けて記憶されパソコンに記憶される。したがって、この記憶された編集画像と対応する編集条件データからなる記憶データをメモリカードやＵＳＢケーブルを使ってカメラのメモリに記憶させ、この記憶データを用いて前述したように撮影画像を編集、補正処理するようにしてもよい。これにより、カメラ側ではキーが少ない、モニタの解像度が悪いといった理由により通常出来ないような編集をカメラで行うことができるようになる。
【符号の説明】
【００８９】
１    電子カメラ
２    主制御部
３    撮影制御部
５    補正／撮影条件設定手段
６    操作部
７    表示モニタ
９    センサ
１１    撮影モード設定手段
１２    撮影条件設定データ
１３    撮影光学系
１５    シャッタ
１６    撮像素子
１７    光学系制御部
１９    ＣＣＤ駆動回路
２０    映像信号処理回路
２１    ＣＤＳ
２２    Ａｍｐ
２３    ＡＤ変換部
２４    ＷＢ補正部
２５    カラー補間／カラー補正部
２６    ガンマ補正部
２７    輪郭強調部
２８    マトリクス
２９    バッファメモリ
３０    画像補正ブロック
３１    画像編集ブロック
３２    バッファメモリ
３３    画像ＣＯＤＥＣ
３４    圧縮／符号化部
３５    伸張／復号化部
３６    画像記録／入出力部
３７    メモリ媒体
【図１】
2011160482.tif 000003
【図２】
2011160482.tif 000004
【図３】
2011160482.tif 000005
【図４】
2011160482.tif 000006
【図５】
2011160482.tif 000007
【図６】
2011160482.tif 000008
【図７】
2011160482.tif 000009
【図８】
2011160482.tif 000010
【図９】
2011160482.tif 000011
【図１０】
2011160482.tif 000012
【図１１】
2011160482.tif 000013
【図１２】
2011160482.tif 000014
【図１３】
2011160482.tif 000015
【図１４】
2011160482.tif 000016
【図１５】
2011160482.tif 000017
【図１６】
2011160482.tif 000018
【図１７】
2011160482.tif 000019
【図１８】
2011160482.tif 000020
【図１９】
2011160482.tif 000021
【図２０】
2011160482.tif 000022
【図２１】
2011160482.tif 000023
【手続補正書】
【提出日】平成23年5月24日(2011.5.24)
【手続補正１】
【補正対象書類名】明細書
【補正対象項目名】０００６
【補正方法】削除
【補正の内容】
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
前記課題を解決するために、請求項１記載の電子カメラにあっては、被写体を撮像して対象画像を生成する撮像手段と、複数の補正された画像を記憶した記憶手段と、操作に応じて、この記憶手段に記憶された補正画像のいずれかを選択する選択手段と、この選択手段により選択された補正画像と前記撮像手段により生成された対象画像とを比較する比較手段と、この比較手段による比較結果に基づき、前記対象画像に施すべき補正条件データを算出する算出手段と、この算出手段により算出された補正条件データに基づき、前記撮像手段により生成された対象画像を補正処理する補正処理手段とを備える。
【手続補正４】
【補正対象書類名】明細書
【補正対象項目名】０００９
【補正方法】変更
【補正の内容】
【０００９】
また、請求項２記載の電子カメラにあっては、被写体を撮像して対象画像を生成する撮像手段と、複数の補正された補正後画像とこの補正後画像の補正前の画像である補正前画像とを対応付けて記憶した記憶手段と、操作に応じて、この記憶手段に記憶されたいずれか一対の補正後画像と補正前画像とを選択する選択手段と、この選択手段により選択された補正後画像と補正前画像とを比較する比較手段と、この比較手段による比較結果に基づき、前記補正後画像に施された補正条件データを算出する算出手段と、この算出手段により算出された補正条件データに基づき、前記撮像手段により生成された対象画像を補正処理する補正処理手段とを備える。
【手続補正５】
【補正対象書類名】明細書
【補正対象項目名】００１０
【補正方法】変更
【補正の内容】
【００１０】
また、請求項３記載の電子カメラにあっては、前記記憶手段に記憶された複数の画像を表示する表示手段を更に備え、前記選択手段は、前記表示手段に表示された複数の画像から、操作に応じたいずれかの画像を選択する。
【手続補正６】
【補正対象書類名】明細書
【補正対象項目名】００１１
【補正方法】変更
【補正の内容】
【００１１】
また、請求項４記載の電子カメラにあっては、操作に応じて、前記選択手段により選択された画像に対応する複数の編集又は補正条件データの中から前記対象画像に施す編集又は補正条件を選択する条件選択手段を更に備え、前記編集又は補正処理手段は、前記条件選択手段により選択された編集又は補正条件データに基づき、前記撮像手段により生成された対象画像を編集又は補正処理する。
【手続補正７】
【補正対象書類名】明細書
【補正対象項目名】００１２
【補正方法】変更
【補正の内容】
【００１２】
また、請求項５記載の電子カメラにあっては、操作に応じて、前記対象画像に施す編集又は補正条件を設定する条件設定手段を更に備え、前記編集又は補正処理手段は、前記条件設定手段により設定された編集又は補正条件データと、前記選択手段により選択された画像に対応する編集又は補正条件データとに基づき、前記撮像手段により生成された対象画像を編集又は補正処理する。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、請求項６記載の電子カメラにあっては、前記補正処理手段により補正処理された補正画像を前記記憶手段に記憶させる記憶制御手段を更に備える。
【手続補正１０】
【補正対象書類名】明細書
【補正対象項目名】００１５
【補正方法】変更
【補正の内容】
【００１５】
また、請求項７記載の電子カメラにあっては、前記補正処理手段により補正処理された補正後画像とこの補正後画像の補正前の画像である補正前画像とを対応付けて前記記憶手段に記憶させる記憶制御手段を更に備える。
【手続補正１１】
【補正対象書類名】明細書
【補正対象項目名】００１６
【補正方法】変更
【補正の内容】
【００１６】
また、請求項８記載の電子カメラにあっては、撮影条件を設定する撮影条件設定手段を更に備え、前記撮像手段は、前記撮影条件設定手段により設定された撮影条件に従って、前記被写体を撮像し前記対象画像を生成する。
【手続補正１２】
【補正対象書類名】明細書
【補正対象項目名】００１７
【補正方法】変更
【補正の内容】
【００１７】
また、請求項９記載の電子カメラにあっては、前記記憶手段は、前記記憶された画像の撮影時における撮影条件データを前記画像に対応付けて記憶し、前記撮像手段は、前記選択手段により選択された画像に対応する撮影条件データに従って、前記被写体を撮像し前記対象画像を生成する。
【手続補正１３】
【補正対象書類名】明細書
【補正対象項目名】００１８
【補正方法】変更
【補正の内容】
【００１８】
また、請求項１０記載の電子カメラにあっては、前記編集処理又は補正処理は、画像補正処理と画像編集処理とを含む。
【手続補正１４】
【補正対象書類名】明細書
【補正対象項目名】００１９
【補正方法】変更
【補正の内容】
【００１９】
また、請求項１１記載の電子カメラにあっては、前記画像補正処理は、ノイズ除去処理、レベル変換処理、色相または彩度の補正処理、フィルタ演算処理、階調補正処理、輪郭強調処理の少なくともいずれか一つを含む処理である。
【手続補正１５】
【補正対象書類名】明細書
【補正対象項目名】００２０
【補正方法】変更
【補正の内容】
【００２０】
また、請求項１２記載の電子カメラにあっては、前記画像編集処理は、画像の回転処理、拡大又は縮小処理、画像特徴の抽出処理、画像領域の抽出処理、画像認識処理、トリミング処理、画像合成処理、リサイズ処理、レイアウト編集処理の少なくともいずれか一つを含む処理である。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項１に係る発明によれば、ユーザの操作により任意に選択された補正後の画像に対応する補正条件データに基づき、撮像した画像を補正することができる。よって、画像補正にユーザの意思を反映させることができ、簡単な操作により、ユーザが所望するように補正された画像を得ることができる。
【手続補正１８】
【補正対象書類名】明細書
【補正対象項目名】００２３
【補正方法】変更
【補正の内容】
【００２３】
また、請求項２に係る発明によれば、ユーザの操作により任意に選択された一対の補正後画像と補正前画像との比較結果により得られる補正条件データに基づき、撮像した画像を補正することができる。よって、画像補正にユーザの意思を反映させることができ、簡単な操作により、ユーザが所望するように補正された画像を得ることができる。
【手続補正１９】
【補正対象書類名】明細書
【補正対象項目名】００７０
【補正方法】変更
【補正の内容】
【００７０】
図１８は、以上に説明した第２の実施の形態における図１６のフローにより実行される撮影処理、画像補正処理（補正項目と補正後の見本画像（Ａ）を選択して自動補正撮影）の手順を示す説明図である。操作入力に応じて、メモリ媒体に記録済みの画像データから補正又は編集後の見本画像（Ａ）の画像データファイル（Ｄ１）を選択する。この補正又は編集後の見本画像データ（Ａ）とともに記録されている撮影条件データ（Ｄ２）を撮影条件として設定する（Ｄ３）。また、選択された画像データ（Ａ）を伸張、復号し（Ｄ４）、選択された補正、編集項目に応じて画像の特徴量Ｆ（Ａ）を抽出する（Ｄ５）。撮影操作がなされると、撮影処理（Ｄ６）、信号処理（Ｄ７）を行って、撮影画像（Ｂ１）を取得する（Ｄ８）。そして、撮影画像（Ｂ１）の特徴量Ｆ（Ｂ１）を抽出する（Ｄ９）。
【手続補正２０】
【補正対象書類名】特許請求の範囲
【補正対象項目名】全文
【補正方法】変更
【補正の内容】
【特許請求の範囲】
【請求項１】
被写体を撮像して対象画像を生成する撮像手段と、
複数の補正された画像を記憶した記憶手段と、
操作に応じて、この記憶手段に記憶された補正画像のいずれかを選択する選択手段と、
この選択手段により選択された補正画像と前記撮像手段により生成された対象画像とを比較する比較手段と、
この比較手段による比較結果に基づき、前記対象画像に施すべき補正条件データを算出する算出手段と、
この算出手段により算出された補正条件データに基づき、前記撮像手段により生成された対象画像を補正処理する補正処理手段と
を備えることを特徴とする電子カメラ。
【請求項２】
被写体を撮像して対象画像を生成する撮像手段と、
複数の補正された補正後画像とこの補正後画像の補正前の画像である補正前画像とを対応付けて記憶した記憶手段と、
操作に応じて、この記憶手段に記憶されたいずれか一対の補正後画像と補正前画像とを選択する選択手段と、
この選択手段により選択された補正後画像と補正前画像とを比較する比較手段と、
この比較手段による比較結果に基づき、前記補正後画像に施された補正条件データを算出する算出手段と、
この算出手段により算出された補正条件データに基づき、前記撮像手段により生成された対象画像を補正処理する補正処理手段と
を備えることを特徴とする電子カメラ。
【請求項３】
前記記憶手段に記憶された複数の画像を表示する表示手段を更に備え、
前記選択手段は、前記表示手段に表示された複数の画像から、操作に応じたいずれかの画像を選択することを特徴とする請求項１から２にいずれか記載の電子カメラ。
【請求項４】
操作に応じて、前記選択手段により選択された画像に対応する複数の編集又は補正条件データの中から前記対象画像に施す編集又は補正条件を選択する条件選択手段を更に備え、
前記編集又は補正処理手段は、前記条件選択手段により選択された編集又は補正条件データに基づき、前記撮像手段により生成された対象画像を編集又は補正処理することを特徴とする請求項１から３にいずれか記載の電子カメラ。
【請求項５】
操作に応じて、前記対象画像に施す編集又は補正条件を設定する条件設定手段を更に備え、
前記編集又は補正処理手段は、前記条件設定手段により設定された編集又は補正条件データと、前記選択手段により選択された画像に対応する編集又は補正条件データとに基づき、前記撮像手段により生成された対象画像を編集又は補正処理することを特徴とする請求項１から４にいずれか記載の電子カメラ。
【請求項６】
前記補正処理手段により補正処理された補正画像を前記記憶手段に記憶させる記憶制御手段を更に備えることを特徴とする請求項１記載の電子カメラ。
【請求項７】
前記補正処理手段により補正処理された補正後画像とこの補正後画像の補正前の画像である補正前画像とを対応付けて前記記憶手段に記憶させる記憶制御手段を更に備えることを特徴とする請求項２記載の電子カメラ。
【請求項８】
撮影条件を設定する撮影条件設定手段を更に備え、
前記撮像手段は、前記撮影条件設定手段により設定された撮影条件に従って、前記被写体を撮像し前記対象画像を生成することを特徴とする請求項１から７にいずれか記載の電子カメラ。
【請求項９】
前記記憶手段は、前記記憶された画像の撮影時における撮影条件データを前記画像に対応付けて記憶し、
前記撮像手段は、前記選択手段により選択された画像に対応する撮影条件データに従って、前記被写体を撮像し前記対象画像を生成することを特徴とする請求項１から８にいずれか記載の電子カメラ。
【請求項１０】
前記編集処理又は補正処理は、画像補正処理と画像編集処理とを含むことを特徴とする請求項１から９にいずれか記載の電子カメラ。
【請求項１１】
前記画像補正処理は、ノイズ除去処理、レベル変換処理、色相または彩度の補正処理、フィルタ演算処理、階調補正処理、輪郭強調処理の少なくともいずれか一つを含む処理であることを特徴と請求項１０記載の電子カメラ。
【請求項１２】
前記画像編集処理は、画像の回転処理、拡大又は縮小処理、画像特徴の抽出処理、画像領域の抽出処理、画像認識処理、トリミング処理、画像合成処理、リサイズ処理、レイアウト編集処理の少なくともいずれか一つを含む処理であることを特徴と請求項１０記載の電子カメラ。